(57)【特許請求の範囲】
【請求項１】
ＳＭＦ（Ｓｙｓｔｅｍ  Ｍａｎａｇｅｍｅｎｔ  Ｆｕｎｃｔｉｏｎ）に実行されるＥＰＳ（Ｅｖｏｌｖｅｄ  Ｐａｃｋｅｔ  Ｓｙｓｔｅｍ）ベアラＩＤの割当方法であって、
セッション接続をＥＰＳベアラにマッピングするステップと、
マッピングして生成されたＥＰＳベアラにベアラＩＤを割り当てるよう、ＡＭＦ（Ａｕｔｈｅｎｔｉｃａｔｉｏｎ  Ｍａｎａｇｅｍｅｎｔ  Ｆｕｎｃｔｉｏｎ）に要求するステップとを含み、
ここで、
前記のマッピングして生成されたＥＰＳベアラにベアラＩＤを割り当てるよう、ＡＭＦに要求するステップは、
マッピングして生成されたＥＰＳベアラ情報またはＥＰＳベアラ数が付帯された第２メッセージを前記ＡＭＦに送信し、マッピングして生成されたＥＰＳベアラにベアラＩＤを割り当てるよう、前記ＡＭＦに要求するステップを含むＥＰＳベアラＩＤの割当方法。
【請求項２】
前記ＥＰＳベアラ情報には、ＥＰＳベアラとＱｏＳ（Ｑｕａｌｉｔｙ  ｏｆ  Ｓｅｒｖｉｃｅ）  ｆｌｏｗとのマッピング関係、または、ＥＰＳベアラとＴＦＴ（Ｔｒａｆｆｉｃ  Ｆｌｏｗ  Ｔｅｍｐｌａｔｅ）とのマッピング関係が付帯される請求項１に記載の割当方法。
【請求項３】
前記の第２メッセージを前記ＡＭＦに送信するステップの前に、
前記ＵＥから送信されたＰＤＵセッション確立要求メッセージを受信するステップ、または、
前記ＡＭＦから送信されたＥＰＳベアラコンテキスト要求メッセージを受信するステップをさらに含む請求項１に記載の割当方法。
【請求項４】
前記ＡＭＦから返信され、前記マッピングして生成されたＥＰＳベアラに割り当てられたベアラＩＤを受信するステップと、
前記ベアラＩＤとマッピングして生成されたＥＰＳベアラ情報に基づいて、ＥＰＳベアラコンテキストまたは関連ＥＰＳベアラのパラメータ情報を特定するステップとをさらに含む請求項１に記載の割当方法。
【請求項５】
前記ＡＭＦから、マッピングして生成されたＥＰＳベアラにベアラＩＤを割り当てることは、
前記ＥＰＳベアラコンテキストまたは関連ＥＰＳベアラのパラメータ情報をＵＥに通知するステップをさらに含む請求項４に記載の割当方法。
【請求項６】
ＳＭＦであって、
セッション接続をＥＰＳベアラにマッピングするマッピングモジュールと、
マッピングして生成されたＥＰＳベアラにベアラＩＤを割り当てるよう、ＡＭＦに要求する要求モジュールとを含み、
ここで、
前記要求モジュールは、
マッピングして生成されたＥＰＳベアラ情報またはＥＰＳベアラ数が付帯された第２メッセージを前記ＡＭＦに送信し、マッピングして生成されたＥＰＳベアラにベアラＩＤを割り当てるよう、前記ＡＭＦに要求する第２送信ユニットとを含むＳＭＦ。
【請求項７】
前記ＥＰＳベアラ情報には、ＥＰＳベアラとＱｏＳ  ｆｌｏｗとのマッピング関係、または、ＥＰＳベアラとＴＦＴとのマッピング関係が付帯される請求項６に記載のＳＭＦ。
【請求項８】
前記ＵＥから送信されたＰＤＵセッション確立要求メッセージを受信し、または、前記ＡＭＦから送信されたＥＰＳベアラコンテキスト要求メッセージを受信する第１受信モジュールをさらに含む請求項６に記載のＳＭＦ。
【請求項９】
前記ＡＭＦから返信され、前記マッピングして生成されたＥＰＳベアラに割り当てられたベアラＩＤを受信する第２受信モジュールと、
前記ベアラＩＤとマッピングして生成されたＥＰＳベアラ情報に基づいて、ＥＰＳベアラコンテキストまたは関連ＥＰＳベアラのパラメータ情報を特定する第１特定モジュールとをさらに含む請求項６に記載のＳＭＦ。
【請求項１０】
前記ＡＭＦから、マッピングして生成されたＥＰＳベアラにベアラＩＤを割り当て、
前記ＥＰＳベアラコンテキストまたは関連ＥＰＳベアラのパラメータ情報をＵＥに通知する通知モジュールをさらに含む請求項９に記載のＳＭＦ。
【請求項１１】
第１メモリと、第１プロセッサと、前記第１メモリに記憶されて前記第１プロセッサで実行可能なコンピュータプログラムを含むＳＭＦにおいて、
前記第１プロセッサは、前記コンピュータプログラムを実行すると、請求項１〜５のいずれか一項に記載の割当方法のステップを実現するＳＭＦ。
【発明の詳細な説明】
【技術分野】
【０００１】
本願は、２０１７年３月２０日に中国特許庁に提出された中国特許出願２０１７１０１６６７６４．１の優先権を主張し、その全ての内容が援用によりここに取り込まれる。
本開示は、通信技術分野に係り、特にＥＰＳベアラＩＤの割当方法、装置、ＳＭＦおよびＰＣＦに係る。
【背景技術】
【０００２】
５Ｇ（５  Ｇｅｎｅｒａｔｉｏｎ）の正常な動作を保証するために、５Ｇネットワークにおいて、汎用移動通信技術のＬＴＥ（Ｌｏｎｇ  Ｔｅｒｍ  Ｅｖｏｌｕｔｉｏｎ）ネットワークとの相互運用をサポートする必要があり、その相互運用の一つは、５ＧネットワークとＬＴＥネットワークとのシステム間ｉｎｔｅｒ−ＲＡＴ（無線アクセス技術間）の切り替えによって完成される。しかし、５Ｇネットワークのセッションは、ＰＤＵ（Ｐａｃｋｅｔ  Ｄａｔａ  Ｕｎｉｔ）セッションＩＤのＰＤＵ  ｓｅｓｓｉｏｎ  ＩＤで識別されるが、ＬＴＥネットワークのセッションは、ＥＰＳ（Ｅｖｏｌｖｅｄ  Ｐａｃｋｅｔ  Ｓｙｓｔｅｍ）ベアラＩＤのＥＰＳ  ｂｅａｒｅｒ  ＩＤで識別される。よって、ｉｎｔｅｒ−ＲＡＴ切り替えの実行に際し、同一セッションの異なるネットワークにおけるＩＤ問題を考慮する必要がある。
【０００３】
５ＧネットワークとＬＴＥネットワークの相互運用をサポートするネットワークアーキテクチャにおいて、ＬＴＥネットワークのＭＭＥ（Ｍｏｂｉｌｉｔｙ  Ｍａｎａｇｅｍｅｎｔ  Ｅｎｔｉｔｙ）と５ＧネットワークのＡＭＦ（Ａｕｔｈｅｎｔｉｃａｔｉｏｎ  Ｍａｎａｇｅｍｅｎｔ  Ｆｕｎｃｔｉｏｎ）との間のＮｘインタフェースのサポートが選択可能である。ネットワークでＮｘインタフェースがサポートされる場合、ネットワークにおいて、５ＧネットワークとＬＴＥネットワークとの間の切り替えがサポートされる。この場合、ＭＭＥとＡＭＦとの間で、移動性コンテキストとセッション接続のコンテキストが含まれる端末ＵＥのコンテキスト情報を伝達する必要がある。ＵＥは、このような、Ｎｘインタフェースをサポートするネットワークにアクセスすると、その登録方式がネットワークにおいてｓｉｎｇｌｅ  ｒｅｇｉｓｔｒａｔｉｏｎ  ｍｏｄｅとして設定される。
【０００４】
ネットワークでＮｘインタフェースがサポートされない場合、５ＧネットワークとＬＴＥネットワークとの間の切り替えがサポートされない。この場合、相互運用をサポートするために、ネットワークにおいて、ＵＥのｄｕａｌ  ｒｅｇｉｓｔｒａｔｉｏｎ  ｍｏｄｅを要求し、すなわち同時にＬＴＥネットワークと５Ｇネットワークで登録を保持する。ｄｕａｌ  ｒｅｇｉｓｔｒａｔｉｏｎ  ｍｏｄｅでサービス連続性をサポートすることを考慮すると、ネットワークの制御プレーンのＳＭＦ（Ｓｙｓｔｅｍ  Ｍａｎａｇｅｍｅｎｔ  Ｆｕｎｃｔｉｏｎ）が同時にＰＧＷ−Ｃの機能をサポートすることが要求される。このように、「ＨＯ  ｒｅｇｉｓｔｒａｔｉｏｎ」によって、ＵＥがＬＴＥネットワークと５Ｇネットワークとの間で移動する際に、そのセッション接続が常に同一のユーザプレーンアンカーポイントにアンカリングすることが保証される。
【０００５】
ｄｕａｌ  ｒｅｇｉｓｔｒａｔｉｏｎ  ｍｏｄｅでのＵＥは、さらにシングルブロードキャストアビリティとデュアルブロードキャストアビリティに分けられる。シングルブロードキャストのＵＥは、同一時刻で一方のセッション接続しか保持できず、すなわち、ＬＴＥネットワークで接続を保持するか、５Ｇネットワークで接続を保持する。このように、ＵＥがＬＴＥネットワークと５Ｇネットワークとの間で移動する際に、パケットロスが避けられず、シームレスのサービス連続性が保証できない。一方、デュアルブロードキャストのＵＥは、ＬＴＥネットワークと５Ｇネットワークで同時に接続を保持できるため、ネットワーク間で移動する際に、ｍａｋｅ−ｂｅｆｏｒｅ−ｂｒｅａｋ方式で接続の切り替えを行い、すなわち目標ネットワークからデータを受信すると同時に、ソースネットワークからもデータを受信し、サービスの連続性が保証される。
【０００６】
ｓｉｎｇｌｅ  ｒｅｇｉｓｔｒａｔｉｏｎ  ｍｏｄｅでのＵＥは、５ＧネットワークからＬＴＥネットワークへの切替プロセスとして、主に以下のＳ１〜Ｓ４を含む。
Ｓ１：ＡＭＦは、ＲＡＮ（Ｒｅｓｉｄｅｎｔｉａｌ  Ａｃｃｅｓｓ  Ｎｅｔｗｏｒｋ）の切替要求を受信すると、すべてのＳＭＦに対し、ＰＤＵセッションコンテキストのマッピングを要求する。ＳＭＦは、ＰＤＵセッションコンテキストをＥＰＳベアラコンテキストに変換してから、ＥＰＳベアラコンテキストをＡＭＦに返信する。ここでｎｏｎ−ＧＢＲ  ＱｏＳ  ｆｌｏｗｓをデフォルトベアラｄｅｆａｕｌｔ  ｂｅａｒｅｒにマッピングし、ＧＢＲ  ＱｏＳ  ｆｌｏｗｓを専用ベアラｄｅｄｉｃａｔｅｄ  ｂｅａｒｅｒにマッピングする。
Ｓ２：ＡＭＦは、すべてのＳＭＦから返信されたＥＰＳベアラコンテキストを受信してから、ＵＥの移動性コンテキストと関連付けてＵＥコンテキストを生成し、ＮｘインタフェースでＭＭＥに伝達する。
Ｓ３：目標側ＭＭＥは、ＮｘインタフェースをＳ１０インタフェースと見なし、すなわち、ＡＭＦをＭＭＥと見なす。目標側ＭＭＥは、ＮｘインタフェースでＵＥコンテキストを受信してから、関連ＥＰＳシステムのＳ１切替フローにしたがって後のフローを継続させる。
Ｓ４：ＳＭＦ／ＰＧＷ−Ｃは、ＵＥのセッションがＬＴＥネットワークに切り替えたと特定すると、ｄｅｄｉｃａｔｅｄ  ｂｅａｒｅｒ活性化プロセスを引き起こして一部のｎｏｎ−ＧＲＢ  ＱｏＳ  ｆｌｏｗｓに対しｄｅｄｉｃａｔｅｄ  ｂｅａｒｅｒを確立する。
【０００７】
関連プロトコルでは、ＳＭＦによるＰＤＵセッションコンテキストとＥＰＳベアラコンテキストのマッピングが必要であることが記載されているが、ＰＤＵセッションがＰＤＵ  ｓｅｓｓｉｏｎ  ＩＤで識別され、ＰＤＵ  ｓｅｓｓｉｏｎ  ＩＤがＵＥから割り当てられるため、１つのＰＤＵセッションが複数のＥｍＳベアラにマッピングされると、ＥＰＳベアラのベアラＩＤをどのように割り当てるかという問題がまだ解決されていない。
【発明の概要】
【発明が解決しようとする課題】
【０００８】
本開示は、ＥＰＳベアラＩＤの割当方法、装置、ＳＭＦおよびＰＣＦを提供する。
【課題を解決するための手段】
【０００９】
第１方面において、本開示は、ＳＭＦに応用されるＥＰＳベアラＩＤの割当方法を提供する。当該方法において、セッション接続をＥＰＳベアラにマッピングするステップと、マッピングして生成されたＥＰＳベアラにベアラＩＤを割り当てるよう、ＵＥまたはＡＭＦに要求するステップとを含む。
【００１０】
選択可能に、マッピングして生成されたＥＰＳベアラにベアラＩＤを割り当てるよう、ＵＥまたはＡＭＦに要求するステップは、マッピングして生成されたＥＰＳベアラ情報が付帯された第１メッセージを前記ＵＥに送信し、マッピングして生成されたＥＰＳベアラにベアラＩＤを割り当てるよう、前記ＵＥに要求するステップ、または、マッピングして生成されたＥＰＳベアラ情報またはＥＰＳベアラ数が付帯された第２メッセージを前記ＡＭＦに送信し、マッピングして生成されたＥＰＳベアラにベアラＩＤを割り当てるよう、前記ＡＭＦに要求するステップを含む。
【００１１】
選択可能に、前記ＥＰＳベアラ情報のうちの専用ベアラのＥＰＳベアラＩＤは、ヌル値、テンポラリ値または保持値に一時的に設定される。
【００１２】
選択可能に、前記ＥＰＳベアラ情報のうちのデフォルトベアラのＥＰＳベアラＩＤは、ＰＤＵセッションＩＤに設定され、またはＰＤＵセッションＩＤに一時的に設定される。
【００１３】
選択可能に、前記ＥＰＳベアラ情報には、ＥＰＳベアラとＱｏＳ  ｆｌｏｗとのマッピング関係、または、ＥＰＳベアラとＴＦＴとのマッピング関係が付帯される。
【００１４】
選択可能に、前記ＥＰＳベアラ数は、専用ベアラの数である。
【００１５】
選択可能に、前記第１メッセージは、ＰＤＵセッション確立受け入れメッセージである。
【００１６】
選択可能に、前記割当方法において、前記の第２メッセージを前記ＡＭＦに送信するステップの前に、前記ＵＥから送信されたＰＤＵセッション確立要求メッセージを受信するステップ、または、前記ＡＭＦから送信されたＥＰＳベアラコンテキスト要求メッセージを受信するステップをさらに含む。
【００１７】
選択可能に、前記割当方法において、前記ＵＥまたはＡＭＦから返信され、前記マッピングして生成されたＥＰＳベアラに割り当てられたベアラＩＤを受信するステップと、前記ベアラＩＤとマッピングして生成されたＥＰＳベアラ情報に基づいて、ＥＰＳベアラコンテキストまたは関連ＥＰＳベアラのパラメータ情報を特定するステップとをさらに含む。
【００１８】
選択可能に、前記ＡＭＦから、マッピングして生成されたＥＰＳベアラにベアラＩＤを割り当て、前記割当方法において、前記ＥＰＳベアラコンテキストまたは関連ＥＰＳベアラのパラメータ情報をＵＥに通知するステップをさらに含む。
【００１９】
第２方面において、本開示は、ＰＣＣまたはＰＣＦに応用されるＥＰＳベアラＩＤの割当方法を提供する。当該方法において、セッション接続のＱｏＳパラメータからＥＰＳのＱｏＳパラメータへのマッピングを特定するステップと、マッピングしたＥＰＳ    ＱｏＳパラメータに基づいて、マッピングして生成されたＥＰＳベアラを特定するステップと、前記マッピングして生成されたＥＰＳベアラにＥＰＳベアラＩＤを割り当てるステップとを含む。
【００２０】
選択可能に、前記割当方法において、マッピングして生成され、前記ＥＰＳベアラＩＤと前記ＥＰＳベアラのＱｏＳパラメータが含まれるＥＰＳベアラ情報をＳＭＦに送信するステップをさらに含む。
【００２１】
選択可能に、前記のセッション接続のＱｏＳパラメータからＥＰＳのＱｏＳパラメータへのマッピングを特定するステップは、前記セッション接続にサービスを提供するＳＭＦのタイプに基づいて、前記セッション接続のＱｏＳパラメータからＥＰＳのＱｏＳパラメータへのマッピングを特定するステップ、または、前記セッション接続にサービスを提供するＳＭＦの要求に基づいて、前記セッション接続のＱｏＳパラメータからＥＰＳのＱｏＳパラメータへのマッピングを特定するステップを含む。
【００２２】
選択可能に、前記ＳＭＦのタイプは、５Ｇセッション管理機能とＰＧＷ−Ｃ機能を同時にサポートするＳＭＦである。
【００２３】
第３方面において、本開示は、ＳＭＦに応用されるＥＰＳベアラＩＤの割当装置を提供する。当該装置は、セッション接続をＥＰＳベアラにマッピングするマッピングモジュールと、マッピングして生成されたＥＰＳベアラにベアラＩＤを割り当てるよう、ＵＥまたはＡＭＦに要求する要求モジュールとを含む。
【００２４】
選択可能に、前記要求モジュールは、マッピングして生成されたＥＰＳベアラ情報が付帯された第１メッセージを前記ＵＥに送信し、マッピングして生成されたＥＰＳベアラにベアラＩＤを割り当てるよう、前記ＵＥに要求する第１送信ユニットと、マッピングして生成されたＥＰＳベアラ情報またはＥＰＳベアラ数が付帯された第２メッセージを前記ＡＭＦに送信し、マッピングして生成されたＥＰＳベアラにベアラＩＤを割り当てるよう、前記ＡＭＦに要求する第２送信ユニットとを含む。
【００２５】
選択可能に、前記ＥＰＳベアラ情報のうちの専用ベアラのＥＰＳベアラＩＤは、ヌル値、テンポラリ値または保持値に一時的に設定される。
【００２６】
選択可能に、前記ＥＰＳベアラ情報のうちのデフォルトベアラのＥＰＳベアラＩＤは、ＰＤＵセッションＩＤに設定され、またはＰＤＵセッションＩＤに一時的に設定される。
【００２７】
選択可能に、前記ＥＰＳベアラ情報には、ＥＰＳベアラとＱｏＳ  ｆｌｏｗとのマッピング関係、または、ＥＰＳベアラとＴＦＴとのマッピング関係が付帯される。
【００２８】
選択可能に、前記ＥＰＳベアラ数は、専用ベアラの数である。
【００２９】
選択可能に、前記第１メッセージは、ＰＤＵセッション確立受け入れメッセージである。
【００３０】
選択可能に、前記割当装置は、前記ＵＥから送信されたＰＤＵセッション確立要求メッセージを受信し、または、前記ＡＭＦから送信されたＥＰＳベアラコンテキスト要求メッセージを受信する第１受信モジュールをさらに含む。
【００３１】
選択可能に、前記割当装置は、前記ＵＥまたはＡＭＦから返信され、前記マッピングして生成されたＥＰＳベアラに割り当てられたベアラＩＤを受信する第２受信モジュールと、前記ベアラＩＤとマッピングして生成されたＥＰＳベアラ情報に基づいて、ＥＰＳベアラコンテキストまたは関連ＥＰＳベアラのパラメータ情報を特定する第１特定モジュールとをさらに含む。
【００３２】
選択可能に、前記ＡＭＦから、マッピングして生成されたＥＰＳベアラにベアラＩＤを割り当て、前記割当装置は、前記ＥＰＳベアラコンテキストまたは関連ＥＰＳベアラのパラメータ情報をＵＥに通知する通知モジュールをさらに含む。
【００３３】
第４方面において、本開示は、ＰＣＣまたはＰＣＦに応用されるＥＰＳベアラＩＤの割当装置を提供する。当該装置は、セッション接続のＱｏＳパラメータからＥＰＳのＱｏＳパラメータへのマッピングを特定する第２特定モジュールと、マッピングしたＥＰＳ    ＱｏＳパラメータに基づいて、マッピングして生成されたＥＰＳベアラを特定する第３特定モジュールと、前記マッピングして生成されたＥＰＳベアラにＥＰＳベアラＩＤを割り当てる割当モジュールとを含む。
【００３４】
選択可能に、前記割当装置は、マッピングして生成され、前記ＥＰＳベアラＩＤと前記ＥＰＳベアラのＱｏＳパラメータが含まれるＥＰＳベアラ情報をＳＭＦに送信する送信モジュールをさらに含む。
【００３５】
選択可能に、前記第２特定モジュールは、具体的に、前記セッション接続にサービスを提供するＳＭＦのタイプに基づいて、前記セッション接続のＱｏＳパラメータからＥＰＳのＱｏＳパラメータへのマッピングを特定し、または、前記セッション接続にサービスを提供するＳＭＦの要求に基づいて、前記セッション接続のＱｏＳパラメータからＥＰＳのＱｏＳパラメータへのマッピングを特定する。
【００３６】
選択可能に、前記ＳＭＦのタイプは、５Ｇセッション管理機能とＰＧＷ−Ｃ機能を同時にサポートするＳＭＦである。
【００３７】
第５方面において、本開示は、第１メモリと、第１プロセッサと、前記第１メモリに記憶されて前記第１プロセッサで実行可能なコンピュータプログラムを含むＳＭＦを提供し、前記第１プロセッサは、前記コンピュータプログラムを実行すると、上記第１方面のＳＭＦに応用される割当方法のステップを実現する。
【００３８】
第６方面において、本開示は、第２メモリと、第２プロセッサと、前記第２メモリに記憶されて前記第２プロセッサで実行可能なコンピュータプログラムを含むＰＣＦを提供し、前記第２プロセッサは、前記コンピュータプログラムを実行すると、上記第２方面のＰＣＦに応用される割当方法のステップを実現する。
【００３９】
第７方面において、本開示は、プログラムと指令が記憶されている非揮発性記憶媒体を提供し、前記プログラムと指令がプロセッサによって実行されると、前記プロセッサは、上記第１方面のＳＭＦに応用される割当方法のステップを実現する。
【００４０】
第８方面において、本開示は、プログラムと指令が記憶されている非揮発性記憶媒体を提供し、前記プログラムと指令がプロセッサによって実行されると、前記プロセッサは、上記第２方面のＰＣＦに応用される割当方法のステップを実現する。
【発明の効果】
【００４１】
本開示のＥＰＳベアラＩＤの割当方法において、セッション接続をＥＰＳベアラにマッピングし、マッピングして生成されたＥＰＳベアラにベアラＩＤを割り当てるよう、ＵＥまたはＡＭＦに要求することによって、ＥＰＳベアラにセッション接続のマッピングを行う際に、マッピングして生成されたＥＰＳベアラにベアラＩＤを割り当てることが実現され、５ＧネットワークとＬＴＥネットワークとのシステム間切り替えの正しい動作が実現される。
【００４２】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００４３】
【図１】本開示のＥＰＳベアラＩＤの割当方法のフローチャートである。
【図２】本開示のＥＰＳベアラＩＤの割当方法のフローチャートである。
【図３】本開示の別のＥＰＳベアラＩＤの割当方法のフローチャートである。
【図４】本開示のＥＰＳベアラＩＤの割当プロセスの実例１のフローチャートである。
【図５】本開示のＥＰＳベアラＩＤの割当プロセスの実例２のフローチャートである。
【図６】本開示のＥＰＳベアラＩＤの割当プロセスの実例３のフローチャートである。
【図７】本開示のＥＰＳベアラＩＤの割当方法のフローチャートである。
【図８】本開示のＥＰＳベアラＩＤの割当プロセスの具体的な実例のフローチャートである。
【図９】本開示のＥＰＳベアラＩＤの割当方法のフローチャートである。
【図１０】本開示のＥＰＳベアラＩＤの割当装置の構造図である。
【図１１】本開示のＥＰＳベアラＩＤの割当装置の構造図である。
【図１２】本開示のＳＭＦの構造図である。
【図１３】本開示のＰＣＦの構造図である。
【発明を実施するための形態】
【００４４】
以下、本開示の実施例の図面を参照しながら、本開示の実施例の技術手段を明確且つ完全的に記載する。明らかに、記載する実施例は、本開示の実施例の一部であり、全てではない。本開示の実施例に基づき、当業者が創造性のある作業をせずに為しえる全ての実施例は、すべて本開示の保護範囲に属するものである。
【００４５】
従来技術において、ＥＰＳ（Ｅｖｏｌｖｅｄ  Ｐａｃｋｅｔ  Ｓｙｓｔｅｍ）ベアラにセッション接続のマッピングを行う際に、マッピングして生成されたＥＰＳベアラにどのようにベアラＩＤを割り当てるかという問題がまだ解決されていない。これに対し、本開示の実施例は、ＥＰＳベアラＩＤの割当方法、装置およびＳＭＦ（Ｓｙｓｔｅｍ  Ｍａｎａｇｅｍｅｎｔ  Ｆｕｎｃｔｉｏｎ）を提供し、ＥＰＳベアラにセッション接続のマッピングを行う際に、マッピングして生成されたＥＰＳベアラにベアラＩＤを割り当てるよう、ＵＥ（Ｕｓｅｒ  Ｅｑｕｉｐｍｅｎｔ）またはＡＭＦ（Ａｕｔｈｅｎｔｉｃａｔｉｏｎ  Ｍａｎａｇｅｍｅｎｔ  Ｆｕｎｃｔｉｏｎ）に要求することによって、ＥＰＳベアラにセッション接続のマッピングを行う際に、マッピングして生成されたＥＰＳベアラにベアラＩＤを割り当てることが実現され、５Ｇ（５  Ｇｅｎｅｒａｔｉｏｎ）ネットワークとＬＴＥ（Ｌｏｎｇ  Ｔｅｒｍ  Ｅｖｏｌｕｔｉｏｎ）ネットワークとのシステム間切り替えの正しい動作が実現される。
【００４６】
図１は、本開示のＥＰＳベアラＩＤの割当方法のフローチャートを示す。当該実施例のＥＰＳベアラＩＤの割当方法は、ＳＭＦに応用され、以下のステップ１０１〜１０２を含む。以下詳細に記載する。
【００４７】
ステップ１０１において、セッション接続をＥＰＳベアラにマッピングする。
【００４８】
ここで、当該セッション接続は、５Ｇシステムのセッション接続であり、すなわち５Ｇセッション接続またはＰＤＵセッション接続である。ＳＭＦは、ＡＭＦのセッション管理要求メッセージを受信すると、関連のセッション接続をＥＰＳベアラにマッピングし、すなわちＥＰＳベアラにセッション接続のマッピングを行う。
【００４９】
具体的に、当該セッション接続がＰＤＵセッション接続である場合、ＳＭＦがＥＰＳベアラにＰＤＵセッション接続のマッピングを行うことは、具体的に、ＰＤＵセッションのうちのｎｏｎ−ＧＢＲ  ＱｏＳ  ｆｌｏｗｓを１つのデフォルトベアラにマッピングし、当該デフォルトベアラのＥＰＳベアラＩＤをＰＤＵセッションＩＤに設定し、または、一時的にＰＤＵセッションＩＤに設定する。ＰＤＵセッションのうちのすべてのＧＢＲ  ＱｏＳ  ｆｌｏｗｓを複数の専用ベアラにマッピングし、専用ベアラへのマッピングが完成すると、すべての専用ベアラの関連ＥＰＳベアラＩＤをＰＤＵセッションＩＤに設定し、すべての専用ベアラのＥＰＳベアラＩＤを、ヌル値、テンポラリ値または保持値に一時的に設定する。ＰＤＵセッションＩＤの値が５〜１５になくまたはネットワーク構成やポリシーの要求によって関連ＥＰＳベアラＩＤをテンポラリ値に設定する必要がある場合、後にＵＥによって関連ＥＰＳベアラＩＤを新たに割り当てる。
【００５０】
なお、本開示におけるマッピングルールは、ＳＭＦによって事前に決められるか、プロバイダのポリシーによって決められるが、本開示において、これについて限定しない。
【００５１】
ステップ１０２において、マッピングして生成されたＥＰＳベアラにベアラＩＤを割り当てるよう、ＵＥまたはＡＭＦに要求する。
【００５２】
ここで、ＳＭＦは、マッピングして生成されたＥＰＳベアラにベアラＩＤを割り当てるよう、ＵＥまたはＡＭＦに要求する場合、マッピングして生成されたＥＰＳベアラ毎にベアラＩＤを割り当てるよう当該ＵＥまたはＡＭＦに要求してもよく、マッピングして生成されたＥＰＳベアラに一括でベアラＩＤを割り当てるよう当該ＡＭＦに要求してもよいが、状況に応じて決められる。
【００５３】
通常、５ＧネットワークとＬＴＥネットワークとのシステム間切り替えの正しい動作を保証するために、ＳＭＦは、マッピング完了後のＥＰＳベアラコンテキストを把握する必要がある。ＥＰＳベアラコンテキストは、マッピングして生成されたＥＰＳベアラ情報を割当済みのベアラＩＤで処理し、たとえば一時的に設定されたＥＰＳ専用ベアラＩＤを更新するなどをして、最終的に取得される。当該ＥＰＳベアラのコンテキストは、具体的に各ベアラのＩＤ情報、ベアラのトンネルエンドポイント情報およびベアラのＱｏＳパラメータなどを含む。
【００５４】
よって、当該実施例において、前記割当方法は、ステップ１０３〜１０４をさらに含む。
【００５５】
ステップ１０３において、前記ＵＥまたはＡＭＦから返信され、前記マッピングして生成されたＥＰＳベアラに割り当てられたベアラＩＤを受信する。
【００５６】
ステップ１０４において、前記ベアラＩＤとマッピングして生成されたＥＰＳベアラ情報に基づいて、ＥＰＳベアラコンテキストまたは関連ＥＰＳベアラのパラメータ情報を特定する。
【００５７】
さらに、ＡＭＦから、マッピングして生成されたＥＰＳベアラにベアラＩＤを割り当てる場合、ＳＭＦは、ＥＰＳベアラコンテキストまたは関連ＥＰＳベアラのパラメータ情報を特定してから、ＵＥが関連ＥＰＳベアラ情報をいち早く把握できるよう、当該ＥＰＳベアラコンテキストまたは関連ＥＰＳベアラのパラメータ情報をＵＥに通知する。ＳＭＦは、当該ＥＰＳベアラコンテキストをＡＭＦに送信してもよい。
【００５８】
アクセスネットワーク側の基地局ノードの正常の動作を保証するために、ＳＭＦは、ＵＥまたはＡＭＦから返信され、マッピングして生成されたＥＰＳベアラに割り当てられたベアラＩＤを受信すると、当該マッピングして生成されたＥＰＳベアラに割り当てられたベアラＩＤを、アクセスネットワーク側の基地局ノードに送信してもよい。
【００５９】
本開示の本実施例のＥＰＳベアラＩＤの割当方法において、セッション接続をＥＰＳベアラにマッピングし、マッピングして生成されたＥＰＳベアラにベアラＩＤを割り当てるよう、ＵＥまたはＡＭＦに要求することによって、ＥＰＳベアラにセッション接続のマッピングを行う際に、マッピングして生成されたＥＰＳベアラにベアラＩＤを割り当てることが実現され、５ＧネットワークとＬＴＥネットワークとのシステム間切り替えの正しい動作が実現される。
【００６０】
以上の実施例は、本開示のＥＰＳベアラＩＤの割当方法の基本的な実現プロセスを説明した。以下、本開示のＥＰＳベアラＩＤの割当方法の一部の具体的な実現プロセスを説明する。
【００６１】
図２は、本開示のＥＰＳベアラＩＤの割当方法のフローチャートを示す。本開示の当該実施例のＥＰＳベアラＩＤの割当方法は、ＳＭＦに応用され、以下のステップ２０１〜２０２を含む。詳細を以下に記載する。
【００６２】
ステップ２０１において、セッション接続をＥＰＳベアラにマッピングする。
【００６３】
ここで、当該セッション接続は、５Ｇシステムのセッション接続であり、すなわち５Ｇセッション接続またはＰＤＵセッション接続である。ＳＭＦは、ＡＭＦのセッション管理要求メッセージを受信すると、関連のセッション接続をＥＰＳベアラにマッピングし、すなわちＥＰＳベアラにセッション接続のマッピングを行う。
【００６４】
具体的に、当該セッション接続がＰＤＵセッション接続である場合、ＳＭＦがＥＰＳベアラにＰＤＵセッション接続のマッピングを行うことは、具体的に、ＰＤＵセッションのうちのｎｏｎ−ＧＢＲ  ＱｏＳ  ｆｌｏｗｓを１つのデフォルトベアラにマッピングし、当該デフォルトベアラのＥＰＳベアラＩＤをＰＤＵセッションＩＤに設定し、または、一時的にＰＤＵセッションＩＤに設定する。ＰＤＵセッションのうちのすべてのＧＢＲ  ＱｏＳ  ｆｌｏｗｓを複数の専用ベアラにマッピングし、専用ベアラへのマッピングが完成すると、すべての専用ベアラの関連ＥＰＳベアラＩＤをＰＤＵセッションＩＤに設定し、すべての専用ベアラのＥＰＳベアラＩＤを、ヌル値、テンポラリ値または保持値に一時的に設定する。ＰＤＵセッションＩＤの値が５〜１５になくまたはネットワーク構成やポリシーの要求によって関連ＥＰＳベアラＩＤをテンポラリ値に設定する必要がある場合、後にＵＥによって関連ＥＰＳベアラＩＤを新たに割り当てる。
【００６５】
なお、本開示におけるマッピングルールは、ＳＭＦによって事前に決められるか、プロバイダのポリシーによって決められるが、本開示において、これについて限定しない。
【００６６】
ステップ２０２において、マッピングして生成されたＥＰＳベアラ情報が付帯された第１メッセージを前記ＵＥに送信し、マッピングして生成されたＥＰＳベアラにベアラＩＤを割り当てるよう、前記ＵＥに要求する。
【００６７】
ここで、当該第１メッセージは、たとえばＰＤＵセッション確立受け入れメッセージである。当該ＥＰＳベアラ情報のうちの専用ベアラのＥＰＳベアラＩＤは、ヌル値、テンポラリ値または保持値に一時的に設定される。当該ＥＰＳベアラ情報のうちのデフォルトベアラのＥＰＳベアラＩＤは、ＰＤＵセッションＩＤに設定され、またはＰＤＵセッションＩＤに一時的に設定される。
【００６８】
ＵＥは、マッピングして生成されたＥＰＳベアラにベアラＩＤを割り当てる場合、ＱｏＳ  ｆｌｏｗ  ＩＤ（ＱＦＩと略称する）またはＴＦＴに基づいて、マッピングして生成されたＥＰＳベアラ毎にベアラＩＤを割り当てる。よって、ＳＭＦからＵＥに送信されるＥＰＳベアラ情報には、ＥＰＳベアラとＱｏＳ  ｆｌｏｗとのマッピング関係、または、ＥＰＳベアラとＴＦＴとのマッピング関係が付帯される。
【００６９】
図３は、本開示の別のＥＰＳベアラＩＤの割当方法のフローチャートを示す。本開示の当該実施例による別のＥＰＳベアラＩＤの割当方法は、ＳＭＦに応用され、以下のステップ３０１〜３０２を含む。詳細を以下に記載する。
【００７０】
ステップ３０１において、セッション接続をＥＰＳベアラにマッピングする。
【００７１】
ここで、当該セッション接続は、５Ｇシステムのセッション接続であり、すなわち５Ｇセッション接続またはＰＤＵセッション接続である。ＳＭＦは、ＡＭＦのセッション管理要求メッセージを受信すると、関連のセッション接続をＥＰＳベアラにマッピングし、すなわちＥＰＳベアラにセッション接続のマッピングを行う。
【００７２】
具体的に、当該セッション接続がＰＤＵセッション接続である場合、ＳＭＦがＥＰＳベアラにＰＤＵセッション接続のマッピングを行うことは、具体的に、ＰＤＵセッションのうちのｎｏｎ−ＧＢＲ  ＱｏＳ  ｆｌｏｗｓを１つのデフォルトベアラにマッピングし、当該デフォルトベアラのＥＰＳベアラＩＤをＰＤＵセッションＩＤに設定し、または、一時的にＰＤＵセッションＩＤに設定する。ＰＤＵセッションのうちのすべてのＧＢＲ  ＱｏＳ  ｆｌｏｗｓを複数の専用ベアラにマッピングし、専用ベアラへのマッピングが完成すると、すべての専用ベアラの関連ＥＰＳベアラＩＤをＰＤＵセッションＩＤに設定し、すべての専用ベアラのＥＰＳベアラＩＤを、ヌル値、テンポラリ値または保持値に一時的に設定する。ＰＤＵセッションＩＤの値が５〜１５になくまたはネットワーク構成やポリシーの要求によって関連ＥＰＳベアラＩＤをテンポラリ値に設定する必要がある場合、後にＵＥによって関連ＥＰＳベアラＩＤを新たに割り当てる。
【００７３】
ステップ３０２において、マッピングして生成されたＥＰＳベアラ情報が付帯された第２メッセージを前記ＡＭＦに送信し、マッピングして生成されたＥＰＳベアラにベアラＩＤを割り当てるよう、前記ＡＭＦに要求する。
【００７４】
ここで、ＳＭＦは、第２メッセージをＡＭＦに送信する前に、ＵＥから送信されたＰＤＵセッション確立要求メッセージをさらに受信する。当該ＥＰＳベアラ情報のうちの専用ベアラのＥＰＳベアラＩＤは、ヌル値、テンポラリ値または保持値に一時的に設定される。当該ＥＰＳベアラ情報のうちのデフォルトベアラのＥＰＳベアラＩＤは、ＰＤＵセッションＩＤに設定され、またはＰＤＵセッションＩＤに一時的に設定される。
【００７５】
ＡＭＦは、マッピングして生成されたＥＰＳベアラにベアラＩＤを割り当てる場合、ＱｏＳ  ｆｌｏｗ  ＩＤ（ＱＦＩと略称する）に基づいて、マッピングして生成されたＥＰＳベアラ毎にベアラＩＤを割り当てる。よって、ＳＭＦからＵＥに送信されるＥＰＳベアラ情報には、ＥＰＳベアラとＱｏＳ  ｆｌｏｗとのマッピング関係が付帯される。
【００７６】
以下、図４〜図６を参照し、本開示のＥＰＳベアラＩＤの割当プロセスを詳細に説明する。
実例１
【００７７】
図４は、本開示のＥＰＳベアラＩＤの割当プロセスの実例１のフローチャートを示す。実例１において、ＵＥからＱＦＩに基づいてＥＰＳベアラＩＤを割り当てることに対応する。図４に示すように、当該実例１におけるＥＰＳベアラＩＤの割当プロセスは、以下のステップ４１〜４８を含む。
【００７８】
ステップ４１において、ＵＥは、ＰＤＵセッション確立要求メッセージＰＤＵ  Ｓｅｓｓｉｏｎ  Ｅｓｔａｂｌｉｓｈｍｅｎｔ  ＲｅｑｕｅｓｔをＡＭＦに送信する。
【００７９】
ステップ４２において、ＡＭＦは、ＵＥから送信されたＰＤＵ  Ｓｅｓｓｉｏｎ  Ｅｓｔａｂｌｉｓｈｍｅｎｔ  Ｒｅｑｕｅｓｔを受信すると、セッション管理要求メッセージＳＭ  ＲｅｑｕｅｓｔをＳＭＦに送信する。
【００８０】
ステップ４３において、ＳＭＦは、ＳＭ  Ｒｅｑｕｅｓｔを受信すると、対応するＰＤＵセッションのうちのｎｏｎ−ＧＢＲ  ＱｏＳ  ｆｌｏｗｓを１つのデフォルトベアラにマッピングし、当該デフォルトベアラのＥＰＳベアラＩＤをＰＤＵセッションＩＤに設定し、または、一時的にＰＤＵセッションＩＤに設定する。対応するＰＤＵセッションのうちのすべてのＧＢＲ  ＱｏＳ  ｆｌｏｗｓを複数の専用ベアラにマッピングし、専用ベアラへのマッピングが完成すると、各専用ベアラのＥＰＳベアラＩＤをヌル値、テンポラリ値または保持値に一時的に設定する。
【００８１】
ステップ４４において、ＳＭＦは、ＰＤＵセッション確立受け入れメッセージＰＤＵ  Ｓｅｓｓｉｏｎ  Ｅｓｔａｂｌｉｓｈｍｅｎｔ  Ａｃｃｅｐｔが付帯されたセッション管理応答メッセージＳＭ  ＲｅｓｐｏｎｓｅをＡＭＦに返信する。当該ＰＤＵ  Ｓｅｓｓｉｏｎ  Ｅｓｔａｂｌｉｓｈｍｅｎｔ  Ａｃｃｅｐｔは、マッピングして生成されたＥＰＳベアラ情報を含む。当該ＥＰＳベアラ情報は、デフォルトベアラＩＤとデフォルトベアラに対応するＱＦＩ、および、専用ベアラと専用ベアラに対応するＱＦＩを含む。
【００８２】
ステップ４５において、ＡＭＦは、ＰＤＵ  Ｓｅｓｓｉｏｎ  Ｅｓｔａｂｌｉｓｈｍｅｎｔ  ＡｃｃｅｐｔをＵＥに送信する。
【００８３】
ステップ４６において、ＵＥは、受信したＰＤＵ  Ｓｅｓｓｉｏｎ  Ｅｓｔａｂｌｉｓｈｍｅｎｔ  Ａｃｃｅｐｔのうちの、ｌｉｎｋｅｄ  ＥＰＳ  ｂｅａｒｅｒ  ＩＤ（関連ＥＰＳベアラＩＤ）、ＱＦＩなどを含むＥＰＳベアラ情報に基づいて、以下の表１のように、専用ベアラ毎にＥＰＳベアラＩＤを割り当てる。
【００８４】
表１：
0006928775.tif 000002
【００８５】
ステップ４７において、ＵＥは、ＰＤＵセッション確立確認メッセージＰＤＵ  Ｓｅｓｓｉｏｎ  Ｅｓｔａｂｌｉｓｈｍｅｎｔ  ＣｏｍｐｌｅｔｅをＡＭＦに返信する。以下の表２のように、当該ＰＤＵ  Ｓｅｓｓｉｏｎ  Ｅｓｔａｂｌｉｓｈｍｅｎｔ  Ｃｏｍｐｌｅｔｅには、完成された（一時的設定値の更新が行われた）ＥＰＳベアラ情報を付帯される。
【００８６】
表２：
0006928775.tif 000003
【００８７】
ステップ４８において、ＡＭＦは、ＰＤＵセッションマッピング完了のＥＰＳベアラ情報が付帯されたセッション管理確認メッセージＳＭ  ＣｏｍｐｌｅｔｅをＳＭＦに返信する。
実例２
【００８８】
上記の実例１は、ＵＥからＱＦＩに基づいてＥＰＳベアラＩＤを割り当てることに対応する。しかし、ＵＥは、ＱＦＩに基づいてＥＰＳベアラＩＤを割り当てるほかに、実例２のように、ＴＦＴに基づいてＥＰＳベアラＩＤを割り当てることもできる。図５は、本開示のＥＰＳベアラＩＤの割当プロセスの実例２のフローチャートを示す。図５に示すように、当該実例２におけるＥＰＳベアラＩＤの割当プロセスは、以下のステップ５１〜５８を含む。
【００８９】
ステップ５１において、ＵＥは、ＰＤＵセッション確立要求メッセージＰＤＵ  Ｓｅｓｓｉｏｎ  Ｅｓｔａｂｌｉｓｈｍｅｎｔ  ＲｅｑｕｅｓｔをＡＭＦに送信する。
【００９０】
ステップ５２において、ＡＭＦは、ＵＥから送信されたＰＤＵ  Ｓｅｓｓｉｏｎ  Ｅｓｔａｂｌｉｓｈｍｅｎｔ  Ｒｅｑｕｅｓｔを受信すると、セッション管理要求メッセージＳＭ  ＲｅｑｕｅｓｔをＳＭＦに送信する。
【００９１】
ステップ５３において、ＳＭＦは、ＳＭ  Ｒｅｑｕｅｓｔを受信すると、対応するＰＤＵセッションのうちのｎｏｎ−ＧＢＲ  ＱｏＳ  ｆｌｏｗｓを１つのデフォルトベアラにマッピングし、当該デフォルトベアラのＥＰＳベアラＩＤをＰＤＵセッションＩＤに設定し、または、一時的にＰＤＵセッションＩＤに設定する。対応するＰＤＵセッションのうちのすべてのＧＢＲ  ＱｏＳ  ｆｌｏｗｓを複数の専用ベアラにマッピングし、専用ベアラへのマッピングが完成すると、各専用ベアラのＥＰＳベアラＩＤをヌル値、テンポラリ値または保持値に一時的に設定する。
【００９２】
ステップ５４において、ＳＭＦは、ＰＤＵセッション確立受け入れメッセージＰＤＵ  Ｓｅｓｓｉｏｎ  Ｅｓｔａｂｌｉｓｈｍｅｎｔ  Ａｃｃｅｐｔが付帯されたセッション管理応答メッセージＳＭ  ＲｅｓｐｏｎｓｅをＡＭＦに返信する。当該ＰＤＵ  Ｓｅｓｓｉｏｎ  Ｅｓｔａｂｌｉｓｈｍｅｎｔ  Ａｃｃｅｐｔは、マッピングして生成されたＥＰＳベアラ情報を含む。当該ＥＰＳベアラ情報はデフォルトベアラＩＤとデフォルトベアラに対応するＴＦＴ（オプション）および専用ベアラと専用ベアラに対応するＴＦＴを含む。
【００９３】
ステップ５５において、ＡＭＦは、ＰＤＵ  Ｓｅｓｓｉｏｎ  Ｅｓｔａｂｌｉｓｈｍｅｎｔ  ＡｃｃｅｐｔをＵＥに送信する。
【００９４】
ステップ５６において、ＵＥは、受信したＰＤＵ  Ｓｅｓｓｉｏｎ  Ｅｓｔａｂｌｉｓｈｍｅｎｔ  Ａｃｃｅｐｔのうちの、ｌｉｎｋｅｄ  ＥＰＳ  ｂｅａｒｅｒ  ＩＤ（関連ＥＰＳベアラＩＤ）、ＴＦＴなどを含むＥＰＳベアラ情報に基づいて、以下の表３のように、専用ベアラ毎にＥＰＳベアラＩＤを割り当てる。
【００９５】
表３：
0006928775.tif 000004
【００９６】
ステップ５７において、ＵＥは、ＰＤＵセッション確立確認メッセージＰＤＵ  Ｓｅｓｓｉｏｎ  Ｅｓｔａｂｌｉｓｈｍｅｎｔ  ＣｏｍｐｌｅｔｅをＡＭＦに返信する。下記表４のように、当該ＰＤＵ  Ｓｅｓｓｉｏｎ  Ｅｓｔａｂｌｉｓｈｍｅｎｔ  Ｃｏｍｐｌｅｔｅには、完成された（一時的設定値が更新された）ＥＰＳベアラ情報を付帯される。
【００９７】
表４：
0006928775.tif 000005
【００９８】
ステップ５８において、ＡＭＦは、ＰＤＵセッションマッピング完了のＥＰＳベアラ情報が付帯されたセッション管理確認メッセージＳＭ  ＣｏｍｐｌｅｔｅをＳＭＦに返信する。
【００９９】
以上の実例１と実例２とは類似しているが、実例１のＥＰＳベアラの関連情報にＱＦＩが含まれるため、ＵＥがＱＦＩに基づいてＥＰＳベアラＩＤを割り当てるのに対し、実例２のＥＰＳベアラの関連情報にＴＦＴが含まれるため、ＵＥがＴＦＴに基づいてＥＰＳベアラＩＤを割り当てるという点で相違する。
実例３
【０１００】
上記の実例１と実例２において、ＵＥによってＥＰＳベアラＩＤを割り当てるが、ＵＥによってＥＰＳベアラＩＤを割り当てるほかに、実例３のように、ＡＭＦによってＥＰＳベアラＩＤを割り当てることもできる。５ＧネットワークとＬＴＥネットワークの相互運用シーンでＡＭＦの役割がＭＭＥに変わるため、ＡＭＦでも、ＥＰＳベアラＩＤを割り当てることができる。
【０１０１】
図６は、本開示のＥＰＳベアラＩＤの割当プロセスの実例３のフローチャートを示す。当該実例３におけるＥＰＳベアラＩＤの割当プロセスは、以下のステップ６１〜６７を含む。
【０１０２】
ステップ６１において、ＵＥは、ＰＤＵセッション確立要求メッセージＰＤＵ  Ｓｅｓｓｉｏｎ  Ｅｓｔａｂｌｉｓｈｍｅｎｔ  ＲｅｑｕｅｓｔをＡＭＦに送信する。
【０１０３】
ステップ６２において、ＡＭＦは、ＵＥから送信されたＰＤＵ  Ｓｅｓｓｉｏｎ  Ｅｓｔａｂｌｉｓｈｍｅｎｔ  Ｒｅｑｕｅｓｔを受信すると、セッション管理要求メッセージＳＭ  ＲｅｑｕｅｓｔをＳＭＦに送信する。
【０１０４】
ステップ６３において、ＳＭＦは、ＳＭ  Ｒｅｑｕｅｓｔを受信すると、対応するＰＤＵセッションのうちのｎｏｎ−ＧＢＲ  ＱｏＳ  ｆｌｏｗｓを１つのデフォルトベアラにマッピングし、当該デフォルトベアラのＥＰＳベアラＩＤをＰＤＵセッションＩＤに設定し、対応するＰＤＵセッションのうちのすべてのＧＢＲ  ＱｏＳ  ｆｌｏｗｓを複数の専用ベアラにマッピングし、専用ベアラへのマッピングが完成すると、各専用ベアラのＥＰＳベアラＩＤをヌル値、テンポラリ値または保持値に一時的に設定する。
【０１０５】
ステップ６４において、ＳＭＦは、ＥＰＳベアラリストが付帯されたＥＰＳベアラ割当要求メッセージＥＰＳ  Ｂｅａｒｅｒ  Ａｌｌｏｃａｔｉｏｎ  ＲｅｑｕｅｓｔをＡＭＦに送信する。
【０１０６】
ステップ６５において、ＡＭＦは、当該ＥＰＳベアラリストに基づいて、各ＥＰＳベアラにＥＰＳベアラＩＤを割り当て、ＥＰＳベアラ割当応答メッセージＥＰＳ  Ｂｅａｒｅｒ  Ａｌｌｏｃａｔｉｏｎ  ＲｅｓｐｏｎｓｅをＳＭＦに送信する。当該ＥＰＳ  Ｂｅａｒｅｒ  Ａｌｌｏｃａｔｉｏｎ  Ｒｅｓｐｏｎｓｅには、ＥＰＳベアラＩＤが割り当て済みである。
【０１０７】
ステップ６６において、ＳＭＦは、割当済みのＥＰＳベアラＩＤに基づいて、マッピングして生成されたＥＰＳベアラ情報を完成させ、ＰＤＵセッション確立受け入れメッセージＰＤＵ  Ｓｅｓｓｉｏｎ  Ｅｓｔａｂｌｉｓｈｍｅｎｔ  Ａｃｃｅｐｔが付帯されたセッション管理応答メッセージＳＭ  ＲｅｓｐｏｎｓｅをＡＭＦに送信する。当該ＰＤＵ  Ｓｅｓｓｉｏｎ  Ｅｓｔａｂｌｉｓｈｍｅｎｔ  Ａｃｃｅｐｔには、マッピング完成後のＥＰＳベアラ情報を含む。当該ＥＰＳベアラ情報は、デフォルトベアラＩＤとデフォルトベアラに対応するＱＦＩ、および、専用ベアラと専用ベアラに対応するＱＦＩを含む。
【０１０８】
ステップ６７において、ＡＭＦは、ＰＤＵ  Ｓｅｓｓｉｏｎ  Ｅｓｔａｂｌｉｓｈｍｅｎｔ  ＡｃｃｅｐｔをＵＥに送信し、完成後のＥＰＳベアラ情報をＵＥに通知する。
【０１０９】
本開示の図２または図３におけるＥＰＳベアラＩＤの割当方法において、第１メッセージまたは第２メッセージを送信して、マッピングして生成されたＥＰＳベアラ毎にベアラＩＤを割り当てるよう、ＵＥまたはＡＭＦに要求できるため、マッピングして生成されたＥＰＳベアラにベアラＩＤを割り当てるという問題を解決し、５ＧネットワークとＬＴＥネットワークとのシステム間切り替えの正しい動作が実現される。
【０１１０】
図７は、本開示のＥＰＳベアラＩＤの割当方法のフローチャートである。本開示の当該実施例によるＥＰＳベアラＩＤの割当方法は、ＳＭＦに応用され、以下のステップ７０１〜７０２を含む。詳細を以下記載する。
【０１１１】
ステップ７０１において、セッション接続をＥＰＳベアラにマッピングする。
【０１１２】
ここで、当該セッション接続は、５Ｇシステムのセッション接続であり、すなわち５Ｇセッション接続またはＰＤＵ（Ｐａｃｋｅｔ  Ｄａｔａ  Ｕｎｉｔ）セッション接続である。ＳＭＦは、ＡＭＦのセッション管理要求メッセージを受信すると、関連のセッション接続をＥＰＳベアラにマッピングし、すなわちＥＰＳベアラにセッション接続のマッピングを行う。
【０１１３】
具体的に、当該セッション接続がＰＤＵセッション接続である場合、ＳＭＦがＥＰＳベアラにＰＤＵセッション接続のマッピングを行うことは、具体的に、ＰＤＵセッションのうちのｎｏｎ−ＧＢＲ  ＱｏＳ  ｆｌｏｗｓを１つのデフォルトベアラにマッピングし、当該デフォルトベアラのＥＰＳベアラＩＤをＰＤＵセッションＩＤに設定し、または、一時的にＰＤＵセッションＩＤに設定する。ＰＤＵセッションのうちのすべてのＧＢＲ  ＱｏＳ  ｆｌｏｗｓを複数の専用ベアラにマッピングし、専用ベアラへのマッピングが完成すると、すべての専用ベアラの関連ＥＰＳベアラＩＤをＰＤＵセッションＩＤに設定し、すべての専用ベアラのＥＰＳベアラＩＤを、ヌル値、テンポラリ値または保持値に一時的に設定する。ＰＤＵセッションＩＤの値が５〜１５になくまたはネットワーク構成やポリシーの要求によって関連ＥＰＳベアラＩＤをテンポラリ値に設定する必要がある場合、後にＵＥによって関連ＥＰＳベアラＩＤを新たに割り当てる。
【０１１４】
なお、本開示におけるマッピングルールは、ＳＭＦによって事前に決められるか、プロバイダのポリシーによって決められるが、本開示において、これについて限定しない。
【０１１５】
ステップ７０２において、マッピングして生成されたＥＰＳベアラ数が付帯された第２メッセージを前記ＡＭＦに送信し、マッピングして生成されたＥＰＳベアラにベアラＩＤを割り当てるよう、前記ＡＭＦに要求する。
【０１１６】
ここで、当該ＥＰＳベアラ数は、専用ベアラの数である。ＳＭＦは、第２メッセージをＡＭＦに送信する前に、ＡＭＦから送信されたＥＰＳベアラコンテキストの要求メッセージを受信する。ＡＭＦによって、マッピングして生成されたＥＰＳベアラに一括でベアラＩＤを割り当てる。
【０１１７】
このように、ＡＭＦは、ＥＰＳベアラ数を受信すると、当該ＥＰＳベアラ数に基づいて、当該ＥＰＳベアラ数に対応するＥＰＳベアラＩＤを割り当てる。たとえば、当該ＥＰＳベアラ数がＮ個である場合、ＡＭＦは、Ｎ個のＥＰＳベアラＩＤを割り当てる。ＥＰＳベアラＩＤの割当が完成すると、ＡＭＦは、割当済みのＥＰＳベアラＩＤをＳＭＦに返信する。ＳＭＦは、割当済みのＥＰＳベアラＩＤを対応するＥＰＳベアラに記入し、マッピング完成後のＥＰＳベアラコンテキストをＡＭＦに送信する。
【０１１８】
以下、図８を参照して、図７に示す実施例の具体的な実例におけるＥＰＳベアラＩＤの割当プロセスを詳細に説明する。
【０１１９】
図７に示す本開示の実施例の具体的な実例において、マッピングして生成されたＥＰＳベアラに対し、ＡＭＦによって一括でベアラＩＤを割り当てる。５ＧネットワークとＬＴＥネットワークの相互運用シーンでＡＭＦの役割がＭＭＥに変わるため、ＡＭＦでも、ＥＰＳベアラＩＤを割り当てることができる。
【０１２０】
図８に示すように、当該具体的な実例におけるＥＰＳベアラＩＤの割当プロセスは、以下のステップ８１〜８６を含む。
【０１２１】
ステップ８１において、ＡＭＦは、ＲＡＮから送信された切替要求を受信すると、セッション管理コンテキスト要求メッセージＳＭ  Ｃｏｎｔｅｘｔ  ＲｅｑｕｅｓｔをＳＭＦに送信する。
【０１２２】
ステップ８２において、ＳＭＦは、ＳＭ  Ｃｏｎｔｅｘｔ  Ｒｅｑｕｅｓｔを受信すると、対応するＰＤＵセッションのうちのｎｏｎ−ＧＢＲ  ＱｏＳ  ｆｌｏｗｓを１つのデフォルトベアラにマッピングし、当該デフォルトベアラのＥＰＳベアラＩＤをＰＤＵセッションＩＤに設定し、または、一時的にＰＤＵセッションＩＤに設定する。対応するＰＤＵセッションのうちのすべてのＧＢＲ  ＱｏＳ  ｆｌｏｗｓを複数の専用ベアラにマッピングし、専用ベアラへの数Ｎを統計する。
【０１２３】
ステップ８３において、ＳＭＦは、統計した専用ベアラの数Ｎに基づいて、ＰＤＵセッションＩＤと専用ベアラの数Ｎが含まれるベアラＩＤ要求メッセージＢｅａｒｅｒ  ＩＤ  ＲｅｑｕｅｓｔをＡＭＦに送信する。
【０１２４】
ステップ８４において、ＡＭＦは、ＥＰＳベアラＩＤを特定し、すなわちデフォルトベアラＩＤリストと専用ベアラＩＤリストを特定し、ベアラＩＤ応答メッセージＢｅａｒｅｒ  ＩＤ  ＲｅｓｐｏｎｓｅをＳＭＦに返信する。
【０１２５】
ステップ８５において、ＳＭＦは、受信したデフォルトベアラＩＤリストと専用ベアラＩＤリストに基づいて、ＰＤＵセッションでマッピングして生成されたＥＰＳベアラコンテキストに、対応するデフォルトベアラＩＤと専用ベアラＩＤをそれぞれ記入し、マッピング完成後のＥＰＳベアラコンテキストが付帯されたセッション管理コンテキスト応答メッセージＳＭ  Ｃｏｎｔｅｘｔ  ＲｅｓｐｏｎｓｅをＡＭＦに返信する。
【０１２６】
ステップ８６において、ＡＭＦは、セッション管理通知メッセージＳＭ  ＮｏｔｉｆｉｃａｔｉｏｎをＵＥに送信し、すべてのマッピング完成後のＥＰＳベアラコンテキストをＵＥに通知し、よって、ＵＥは、ＰＤＵセッションのＥＰＳベアラの関連を把握する。
【０１２７】
図７に示す本開示の実施例のＥＰＳベアラＩＤの割当方法において、第２メッセージを送信して、マッピングして生成されたＥＰＳベアラに一括でベアラＩＤを割り当てるよう、ＡＭＦに要求できるため、マッピングして生成されたＥＰＳベアラにベアラＩＤを割り当てるという問題を解決し、５ＧネットワークとＬＴＥネットワークとのシステム間切り替えの正しい動作が実現される。
【０１２８】
図９は、本開示のＥＰＳベアラＩＤの割当方法のフローチャートを示す。当該実施例によるＥＰＳベアラＩＤの割当方法は、ＰＣＣ（Ｐｏｌｉｃｙ  Ｃｏｎｔｒｏｌ  ａｎｄ  Ｃｈａｒｇｉｎｇ）またはＰＣＦ（Ｐｏｌｉｃｙ  Ｃｏｎｔｒｏｌ  Ｆｕｎｃｔｉｏｎ）に応用され、以下のステップ９０１〜９０３を含む。詳細を以下に記載する。
【０１２９】
ステップ９０１において、セッション接続のＱｏＳパラメータからＥＰＳのＱｏＳパラメータへのマッピングを特定する。
【０１３０】
ここで、当該セッション接続は、５Ｇシステムのセッション接続であり、すなわち５Ｇセッション接続またはＰＤＵセッション接続である。セッション接続確立プロセスにおいて、ＰＣＣまたはＰＣＦは、当該セッション接続にサービスを提供するＳＭＦのタイプ、または当該セッション接続にサービスを提供するＳＭＦの要求に基づいて、５Ｇシステムにおけるセッション接続のＱｏＳパラメータからＥＰＳのＱｏＳパラメータへのマッピングを特定する。セッション接続にサービスを提供するＳＭＦは、たとえば５Ｇセッション管理機能とＰＧＷ−Ｃ機能を同時にサポートするＳＭＦである。
【０１３１】
たとえば、ＰＣＦは、ＳＭＦの要求メッセージまたはＳＭＦのタイプなどの情報に基づいて、あるＰＤＵセッションのＱｏＳパラメータからＥＰＳのＱｏＳパラメータへのマッピングを特定する。具体的なマッピング方式は、プロバイダーのルールまたは構成ポリシーによって決められるが、本開示において、これについて限定しない。マッピングしたＥＰＳ  ＱｏＳパラメータは、ＱｏＳ  ｆｌｏｗからＥＰＳベアラへのマッピング関係、ＥＰＳベアラのＱｏＳパラメータ、および／またはＥＰＳベアラのＴＦＴなどの情報を含む。
【０１３２】
ステップ９０２において、マッピングしたＥＰＳ    ＱｏＳパラメータに基づいて、マッピングして生成されたＥＰＳベアラを特定する。
【０１３３】
ここで、ＥＰＳ    ＱｏＳパラメータのマッピング完成後に、当該ＥＰＳ    ＱｏＳパラメータに基づいて、マッピングして生成されたＥＰＳベアラを特定することができる。
【０１３４】
ステップ９０３において、前記マッピングして生成されたＥＰＳベアラにＥＰＳベアラＩＤを割り当てる。
【０１３５】
ここで、ＰＣＣまたはＰＣＦは、マッピングして生成されたＥＰＳベアラにＥＰＳベアラＩＤを割り当てる場合、具体的にマッピングして生成されたＥＰＳベアラ毎にＥＰＳベアラＩＤを割り当てる。ＰＣＦは、ＥＰＳベアラＩＤを割り当てる前に、割り当てられるＥＰＳベアラＩＤがＵＥで一義的であることを保証するために、ＵＥの現在のすべてのＰＤＵセッションでマッピングされたＥＰＳベアラ情報を特定する必要がある。
【０１３６】
本開示の具体的な実施例において、前記割当方法は、さらにステップ９０４を含む。
【０１３７】
ステップ９０４において、マッピングして生成され、前記ＥＰＳベアラＩＤと前記ＥＰＳベアラのＱｏＳパラメータが含まれるＥＰＳベアラ情報をＳＭＦに送信する。
【０１３８】
このように、ＳＭＦは、関連のＥＰＳベアラ情報をいち早く把握することができ、正しい切り替えを保証する。ＳＭＦは、受信したＥＰＳベアラ情報をさらにＵＥに送信してもよい。
【０１３９】
図９に示す本開示の実施例のＥＰＳベアラＩＤの割当方法において、セッション接続のＱｏＳパラメータからＥＰＳのＱｏＳパラメータへのマッピングを特定し、マッピングしたＥＰＳ  ＱｏＳパラメータに基づいて、マッピングして生成されたＥＰＳベアラを特定し、前記マッピングして生成されたＥＰＳベアラにＥＰＳベアラＩＤを割り当てることによって、マッピングして生成されたＥＰＳベアラにＥＰＳベアラＩＤを割り当てることが実現される。
【０１４０】
上記の実施例は、本開示のＥＰＳベアラＩＤの割当方法を説明したが、以下、本開示のＥＰＳベアラＩＤの割当装置を説明する。
【０１４１】
図１０は、本開示のＥＰＳベアラＩＤの割当装置の構造図を示す。当該実施例は、ＳＭＦに応用されるＥＰＳベアラＩＤの割当装置を提供する。当該装置は、セッション接続をＥＰＳベアラにマッピングするマッピングモジュール１１１と、マッピングして生成されたＥＰＳベアラにベアラＩＤを割り当てるよう、ＵＥまたはＡＭＦに要求する要求モジュール１１２とを含む。
【０１４２】
本実施例において、前記要求モジュール１１２は、マッピングして生成されたＥＰＳベアラ情報が付帯された第１メッセージを前記ＵＥに送信し、マッピングして生成されたＥＰＳベアラにベアラＩＤを割り当てるよう、前記ＵＥに要求する第１送信ユニットと、マッピングして生成されたＥＰＳベアラ情報またはＥＰＳベアラ数が付帯された第２メッセージを前記ＡＭＦに送信し、マッピングして生成されたＥＰＳベアラにベアラＩＤを割り当てるよう、前記ＡＭＦに要求する第２送信ユニットとを含む。
【０１４３】
具体的に、前記ＥＰＳベアラ情報のうちの専用ベアラのＥＰＳベアラＩＤは、ヌル値、テンポラリ値または保持値に一時的に設定される。
【０１４４】
具体的に、前記ＥＰＳベアラ情報のうちのデフォルトベアラのＥＰＳベアラＩＤは、ＰＤＵセッションＩＤに設定され、またはＰＤＵセッションＩＤに一時的に設定される。
【０１４５】
具体的に、前記ＥＰＳベアラ情報には、ＥＰＳベアラとＱｏＳ  ｆｌｏｗとのマッピング関係、または、ＥＰＳベアラとＴＦＴとのマッピング関係が付帯される。
【０１４６】
具体的に、前記ＥＰＳベアラ数は、専用ベアラの数である。
【０１４７】
具体的に、前記第１メッセージは、ＰＤＵセッション確立受け入れメッセージである。
【０１４８】
本実施例において、前記割当装置は、前記ＵＥから送信されたＰＤＵセッション確立要求メッセージを受信し、または、前記ＡＭＦから送信されたＥＰＳベアラコンテキスト要求メッセージを受信する第１受信モジュールをさらに含む。
【０１４９】
本開示の具体的な実施例において、前記割当装置は、前記ＵＥまたはＡＭＦから返信され、前記マッピングして生成されたＥＰＳベアラに割り当てられたベアラＩＤを受信する第２受信モジュールと、前記ベアラＩＤとマッピングして生成されたＥＰＳベアラ情報に基づいて、ＥＰＳベアラコンテキストまたは関連ＥＰＳベアラのパラメータ情報を特定する第１特定モジュールとをさらに含む。
【０１５０】
さらに、前記ＡＭＦから、マッピングして生成されたＥＰＳベアラにベアラＩＤを割り当てる場合、前記割当装置は、前記ＥＰＳベアラコンテキストまたは関連ＥＰＳベアラのパラメータ情報をＵＥに通知する通知モジュールをさらに含む。
【０１５１】
図１１は、本開示のＥＰＳベアラＩＤの割当装置の構造図を示す。当該実施例は、ＰＣＣまたはＰＣＦに応用されるＥＰＳベアラＩＤの割当装置を提供する。当該装置は、セッション接続のＱｏＳパラメータからＥＰＳのＱｏＳパラメータへのマッピングを特定する第２特定モジュール１２１と、マッピングしたＥＰＳ    ＱｏＳパラメータに基づいて、マッピングして生成されたＥＰＳベアラを特定する第３特定モジュール１２２と、前記マッピングして生成されたＥＰＳベアラにＥＰＳベアラＩＤを割り当てる割当モジュール１２３とを含む。
【０１５２】
具体的に、前記第２特定モジュール１２１は、前記セッション接続にサービスを提供するＳＭＦのタイプに基づいて、前記セッション接続のＱｏＳパラメータからＥＰＳのＱｏＳパラメータへのマッピングを特定し、または、前記セッション接続にサービスを提供するＳＭＦの要求に基づいて、前記セッション接続のＱｏＳパラメータからＥＰＳのＱｏＳパラメータへのマッピングを特定する。
【０１５３】
前記ＳＭＦのタイプは、５Ｇセッション管理機能とＰＧＷ−Ｃ機能を同時にサポートするＳＭＦである。
【０１５４】
さらに、前記割当装置は、マッピングして生成され、前記ＥＰＳベアラＩＤと前記ＥＰＳベアラのＱｏＳパラメータが含まれるＥＰＳベアラ情報をＳＭＦに送信する送信モジュールをさらに含む。
【０１５５】
図１０に示す実施例のＥＰＳベアラＩＤの割当装置は、セッション接続をＥＰＳベアラにマッピングし、マッピングして生成されたＥＰＳベアラにベアラＩＤを割り当てるよう、ＵＥまたはＡＭＦに要求することによって、ＥＰＳベアラにセッション接続のマッピングを行う際に、マッピングして生成されたＥＰＳベアラにベアラＩＤを割り当てることが実現され、５ＧネットワークとＬＴＥネットワークとのシステム間切り替えの正しい動作が実現される。
【０１５６】
本開示は、第１メモリと、第１プロセッサと、前記第１メモリに記憶されて前記第１プロセッサで実行可能なコンピュータプログラムを含むＳＭＦを提供し、前記第１プロセッサは、前記コンピュータプログラムを実行すると、上記図２〜図８のいずれか１つに示される割当方法のステップを実現する。
【０１５７】
具体的に、図１２には、本開示のＳＭＦの構造図が示されている。当該実施例のＳＭＦは、具体的に、第１バス１３１と、第１トランシーバ１３２と、第１アンテナ１３３と、第１バスインタフェース１３４と、第１プロセッサ１３５と、第１メモリ１３６とを含む。
【０１５８】
ここで、第１プロセッサ１３５は、第１メモリ１３６からコンピュータプログラムを読み取ることによって、セッション接続をＥＰＳベアラにマッピングし、マッピングして生成されたＥＰＳベアラにベアラＩＤを割り当てるよう、ＵＥまたはＡＭＦに要求するプロセスを実行する。第１トランシーバ１３２は、第１プロセッサ１３５による制御でデータを送受信する。
【０１５９】
具体的に、第１プロセッサ１３５は、さらに、マッピングして生成されたＥＰＳベアラ情報が付帯された第１メッセージを前記ＵＥに送信し、マッピングして生成されたＥＰＳベアラにベアラＩＤを割り当てるよう、前記ＵＥに要求し、または、マッピングして生成されたＥＰＳベアラ情報またはＥＰＳベアラ数が付帯された第２メッセージを前記ＡＭＦに送信し、マッピングして生成されたＥＰＳベアラにベアラＩＤを割り当てるよう、前記ＡＭＦに要求する。
【０１６０】
具体的に、前記ＥＰＳベアラ情報のうちの専用ベアラのＥＰＳベアラＩＤは、ヌル値、テンポラリ値または保持値に一時的に設定される。
【０１６１】
具体的に、前記ＥＰＳベアラ情報のうちのデフォルトベアラのＥＰＳベアラＩＤは、ＰＤＵセッションＩＤに設定され、またはＰＤＵセッションＩＤに一時的に設定される。
【０１６２】
具体的に、前記ＥＰＳベアラ情報には、ＥＰＳベアラとＱｏＳ  ｆｌｏｗとのマッピング関係、または、ＥＰＳベアラとＴＦＴとのマッピング関係が付帯される。
【０１６３】
具体的に、前記ＥＰＳベアラ数は、専用ベアラの数である。
【０１６４】
具体的に、前記第１メッセージは、ＰＤＵセッション確立受け入れメッセージである。
【０１６５】
具体的に、第１プロセッサ１３５は、さらに、前記ＵＥから送信されたＰＤＵセッション確立要求メッセージを受信し、または、前記ＡＭＦから送信されたＥＰＳベアラコンテキスト要求メッセージを受信する。
【０１６６】
具体的に、第１プロセッサ１３５は、さらに、前記ＵＥまたはＡＭＦから返信され、前記マッピングして生成されたＥＰＳベアラに割り当てられたベアラＩＤを受信し、前記ベアラＩＤとマッピングして生成されたＥＰＳベアラ情報に基づいて、ＥＰＳベアラコンテキストまたは関連ＥＰＳベアラのパラメータ情報を特定する。
【０１６７】
具体的に、前記ＡＭＦから、マッピングして生成されたＥＰＳベアラにベアラＩＤを割り当てる場合、第１プロセッサ１３５は、さらに、前記ＥＰＳベアラコンテキストまたは関連ＥＰＳベアラのパラメータ情報をＵＥに通知する。
【０１６８】
図１２において、第１バスアーキテクチャ（第１バス１３１で示す）は、任意数の相互接続する第１バスとブリッジを含む。第１バス１３１は、第１プロセッサ１３５をはじめとする１つ又は複数の第１プロセッサと第１メモリ１３６をはじめとする第１メモリの各種類の回路が接続したものである。第１バス１３１は、周辺イクイップメント、レギュレーター、電力管理回路などの各種類のほかの回路を接続したものであってもよい。これらは、いずれも本分野の公知事項であり、本文においてさらなる記載をしない。第１バスインタフェース１３４により、第１バス１３１と第１トランシーバ１３２との間でインタフェースが提供される。第１トランシーバ１３２は、１つの部品であってもよく、複数の受信機および送信機など、複数の部品であってもよく、伝送媒体でほかの各種類の装置と通信するユニットとして提供される。第１プロセッサ１３５によって処理されたデータは、第１アンテナ１３３を介して無線媒体で伝送される。さらに、第１アンテナ１３３は、データを受信し、データを第１プロセッサ１３５に伝送する。
【０１６９】
第１プロセッサ１３５は、第１バス１３１と通常の処理を管理し、さらに計時、周囲インタフェース、電圧調節、電源管理およびほかの制御機能など、様々な機能も提供する。第１メモリ１３６は、第１プロセッサ１３５による操作実行に用いられるデータを記憶ことに用いられる。
【０１７０】
選択可能に、第１プロセッサ１３５は、ＣＰＵ、ＡＳＩＣ、ＦＰＧＡまたはＣＰＬＤである。
【０１７１】
本開示は、第２メモリと、第２プロセッサと、前記第２メモリに記憶されて前記第２プロセッサで実行可能なコンピュータプログラムを含むＰＣＦを提供し、前記第２プロセッサは、前記コンピュータプログラムを実行すると、上記図９に示す割当方法のステップを実現する。
【０１７２】
実現される機能の角度から、本開示の実施例におけるＰＣＦとＰＣＣとは、構成要素が一致している。ここで、ＰＣＦを詳細に説明するが、ＰＣＣについて繰り返して記載しない。
【０１７３】
具体的に、図１３は、本開示のＰＣＦの構造図を示す。当該実施例のＰＣＦは、具体的に、第２バス１４１と、第２トランシーバ１４２と、第２アンテナ１４３と、第２バスインタフェース１４４と、第２プロセッサ１４５と、第２メモリ１４６とを含む。
【０１７４】
ここで、第２プロセッサ１４５は、第２メモリ１４６からコンピュータプログラムを読み取ることによって、セッション接続のＱｏＳパラメータからＥＰＳのＱｏＳパラメータへのマッピングを特定するプロセスと、マッピングしたＥＰＳ    ＱｏＳパラメータに基づいて、マッピングして生成されたＥＰＳベアラを特定するプロセスと、前記マッピングして生成されたＥＰＳベアラにＥＰＳベアラＩＤを割り当てるプロセスとを実行する。第２トランシーバ１４２は、第２プロセッサ１４５による制御でデータを送受信する。
【０１７５】
具体的に、第２プロセッサ１４５は、さらに、前記セッション接続にサービスを提供するＳＭＦのタイプに基づいて、前記セッション接続のＱｏＳパラメータからＥＰＳのＱｏＳパラメータへのマッピングを特定し、または、前記セッション接続にサービスを提供するＳＭＦの要求に基づいて、前記セッション接続のＱｏＳパラメータからＥＰＳのＱｏＳパラメータへのマッピングを特定する。
【０１７６】
具体的に、前記ＳＭＦのタイプは、５Ｇセッション管理機能とＰＧＷ−Ｃ機能を同時にサポートするＳＭＦである。
【０１７７】
具体的に、第２プロセッサ１４５は、さらに、マッピングして生成され、前記ＥＰＳベアラＩＤと前記ＥＰＳベアラのＱｏＳパラメータが含まれるＥＰＳベアラ情報をＳＭＦに送信する。
【０１７８】
図１３において、第２バスアーキテクチャ（第２バス１４１で示す）は、任意数の相互接続する第２バスとブリッジを含む。第２バス１４１は、第２プロセッサ１４５をはじめとする１つ又は複数の第２プロセッサと第２メモリ１４６をはじめとする第２メモリの各種類の回路が接続したものである。第２バス１４１は、周辺イクイップメント、レギュレーター、電力管理回路などの各種類のほかの回路を接続したものであってもよい。これらは、いずれも本分野の公知事項であり、本文においてさらなる記載をしない。第２バスインタフェース１４４により、第２バス１４１と第２トランシーバ１４２との間でインタフェースが提供される。第２トランシーバ１４２は、１つの部品であってもよく、複数の受信機および送信機など、複数の部品であってもよく、伝送媒体でほかの各種類の装置と通信するユニットとして提供される。第２プロセッサ１４５によって処理されたデータは、第２アンテナ１４３を介して無線媒体で伝送される。さらに、第２アンテナ１４３は、データを受信し、データを第２プロセッサ１４５に伝送する。
【０１７９】
第２プロセッサ１４５は、第２バス１４１と通常の処理を管理し、さらに計時、周囲インタフェース、電圧調節、電源管理およびほかの制御機能など、様々な機能も提供する。第２メモリ１４６は、第２プロセッサ１４５による操作実行に用いられるデータを記憶ことに用いられる。
【０１８０】
選択可能に、第２プロセッサ１４５は、ＣＰＵ、ＡＳＩＣ、ＦＰＧＡまたはＣＰＬＤである。
【０１８１】
なお、本明細書において、「含む」や「含有する」またはそれ以外のあらゆる変形用語は、非排他的に含むことを意味する。よって、一連の要素を含むプロセス、方法、モノまたは装置は、それらの要素を含むだけではなく、明確に列挙されていない他の要素をさらに含み、またはこのようなプロセス、方法、モノまたは装置に固有の要素をさらに含む。特に限定されない限り、「…を１つ含む」の表現によって限定される要素について、当該要素を含むプロセス、方法、モノまたは装置に他の同一要素の存在を除外しない。
【０１８２】
上述した本開示の実施例の番号は、単に記載用のものであり、実施例の優劣を代表しない。
【０１８３】
以上の実施形態の記載によれば、上記実施例の方法を、ソフトウェアに必須で汎用のハードウェアプラットフォームを併用した形式で実現することができ、もちろんハードウェアによっても実現できるが、多くの場合、前者がより好適な実施形態であることは、当業者が分かる。このような理解に基づき、本願の技術手段の実質的または従来技術に貢献した部分は、ソフトウェアプロダクトの形式で現れる。当該コンピュータソフトウェアプロダクトは、本開示の各実施例に記載の方法を一台の端末機器（携帯電話、コンピュータ、サーバ、空調機またはネットワーク機器など）に実行させるいくつかの指令を含む記憶媒体（たとえばＲＯＭ／ＲＡＭ、磁気ディスク、光ディスク）に記憶される。
【０１８４】
以上記載されたのは、本開示の好適な実施形態である。当業者は、本開示に記載されている原理を逸脱せずに様々な改良や修飾をすることもできる。これらの改良や修飾も、本開示の保護範囲として見なされるべきである。
【図１】
0006928775.tif 000006
【図２】
0006928775.tif 000007
【図３】
0006928775.tif 000008
【図４】
0006928775.tif 000009
【図５】
0006928775.tif 000010
【図６】
0006928775.tif 000011
【図７】
0006928775.tif 000012
【図８】
0006928775.tif 000013
【図９】
0006928775.tif 000014
【図１０】
0006928775.tif 000015
【図１１】
0006928775.tif 000016
【図１２】
0006928775.tif 000017
【図１３】
0006928775.tif 000018